(57)【要約】      （修正有）【課題】従来の通気性袋内の空気の脱気性を図る米等を包装する米袋は、接着性樹脂層を備えた四角形状の積層フイルムであり、その少なくとも１辺に、熱接着部と非熱接着部とからなる断続熱接着部を形成し、この断続熱接着部に、１〜２枚の熱接着性シートを、２つ折りして設け、かつ熱接着性シートに表面に連通する隙間、及び溝を設けた構造である。この隙間、及び溝を介して、通気性袋内の空気を容易に脱気できる通気性袋である。【解決手段】本発明の通気性を備えた袋は、通気部の開放側を、袋体素材の開放側に位置するとともに、通気部の開放側を、袋体素材の開放側の内側に位置する構成とし、袋体素材の開放側に、突出鰭片を形成し、また通気部の開放側の二つ折り両外面と、各袋体素材の開放側の内面との接着面を、同じ位置及び／又は長さを確保し、かつ間欠的に、それぞれ圧着した圧着部と、未圧着部を形成する構成としたことを特徴とする。【選択図】図１
2009173291.tif 000002
【特許請求の範囲】
【請求項１】
垂設状に捲装設置した延展フイルム素材を、ガイド片を介して、搬送する過程で、カッタにより、その長手方向において半截して、袋用のフイルムを生成するか、又は垂設状に捲装設置した袋用のフイルムを、ガイド片を介して、床面に対して水平状態に配置すると同時に、二重に重ね合わせて連続状態の袋体素材を形成し、この袋体素材の長手方向の両端部に、垂設状に設置した延展不織布素材を、ガイド片を介して、搬送する過程で、その長手方向において二つ折りにし、通気性を備えた袋の通気部を形成し、かつこの二つ折りにした通気部の開放側を、前記袋体素材の長手方向の開放側に位置するようにした袋の製造装置を介して、製造された通気性を備えた袋において、
前記通気性を備えた袋は、前記通気部の開放側を、前記袋体素材の開放側に向けるように設けるとともに、通気部の開放側を、袋体素材の開放側の内側に位置する構成とし、この袋体素材の開放側に、突出鰭片を形成し、また前記通気部の開放側の二つ折り両外面と、前記各袋体素材の開放側の内面との接着面を、同じ位置及び／又は長さを確保しながら、かつ間欠的に、それぞれ圧着し、圧着部を形成する構成とした通気性を備えた袋。
【請求項２】
垂設状に捲装設置した延展フイルム素材を、ガイド片を介して、搬送する過程で、カッタにより、その長手方向において半截して、袋用のフイルムを生成するか、又は垂設状に捲装設置した袋用のフイルムを、ガイド片を介して、床面に対して水平状態に配置すると同時に、二重に重ね合わせて連続状態の袋体素材を形成し、この袋体素材の長手方向の両端部に、垂設状に設置した延展不織布素材を、ガイド片を介して、搬送する過程で、その長手方向において二つ折りにし、通気性を備えた袋の通気部を形成し、かつこの二つ折りにした通気部の開放側を、前記袋体素材の長手方向の開放側に位置するようにした袋の製造装置を介して、製造された通気性を備えた袋において、
前記通気性を備えた袋は、前記通気部の開放側を、前記袋体素材の非開放側に向けるように設けるとともに、通気部の開放側を、袋体素材の開放側の内側に位置する構成とし、この袋体素材の開放側に、突出鰭片を形成し、また前記通気部の開放側の二つ折り両外面と、前記各袋体素材の開放側の内面との接着面を、同じ位置及び／又は長さを確保しながら、かつ間欠的に、それぞれ圧着し、圧着部を形成する構成とした通気性を備えた袋。
【請求項３】
請求項１又は請求項２に記載の通気性を備えた袋であって、
この袋体素材の開放側に、形成した突出鰭片は、この袋体素材の表面、又は、その裏面のいずれか一方側に設ける構成とした通気性を備えた袋。
【請求項４】
請求項１又は請求項２に記載の通気性を備えた袋であって、
この袋体素材の開放側に、形成した突出鰭片は、この袋体素材の表裏面の両面側に設ける構成とした通気性を備えた袋。
【請求項５】
請求項１又は請求項２に記載の通気性を備えた袋であって、
この通気性を備えた袋は、米袋であり、この米袋内の空気を排出可能とし、当該米袋を複数個積層した際に、積み崩れを防止する構成とした通気性を備えた袋。
【請求項６】
請求項５に記載の通気性を備えた袋であって、
この通気性を備えた袋は、店頭に陳列した際に、前記袋体素材の開放側に、形成した突出鰭片が、水滴及び／又は埃の侵入防止に役立つ構成とした通気性を備えた袋。
【発明の詳細な説明】
【技術分野】
【０００１】
本発明は、通気性を備えた袋で、殊に、米袋に最適な、通気性を備えた袋に関する。
【背景技術】
【０００２】
この種の米袋において、近時、米袋内の空気を排気する構造が賞用されている。その主たる理由は、袋内で呼吸する米、又は玄米の排気（脱気）を介して、鮮度の維持と、品質の向上とを図るとともに、この袋内に、虫、埃等の侵入を防止することにある。従って、これに関する文献も、散見されるので、その代表的な構造を下記に示す。
【０００３】
先ず、文献（１）として、特開２００２−５３１４３の「通気性袋」がある。この発明は、米等を包装するための通気性袋内の空気の脱気性が良好であり、また、この通気性袋を、簡単な工程で製造し、かつ低コストの提供を意図するものであり、その構造は、基材層と熱接着性樹脂層を備えた四角形状の２枚の積層フイルムは、熱接着性樹脂層面を重ね合わせた構造であり、その少なくとも１辺に、熱接着部と非熱接着部とからなる断続熱接着部を形成し、この断続熱接着部に、１枚、２枚の熱接着性シートを、２つ折りして設けるとともに、この熱接着性シートの表面に連通する隙間、及び溝を設けた構造である。この隙間、及び溝を介して、通気性袋内の空気を容易に脱気できる通気性袋である。
【０００４】
また、文献（２）として、特開２００２−３０８２９２の「収納袋」がある。この発明は、収納袋の内部に残る空気の排出と、外部からの異物の侵入阻止の双方を達成できる収納袋の提供を意図するものであり、その構造は、フイルム状の包材と包材間の縁部に、帯状の不織布を挿入し、この包材と不織布を一体に熱圧着して形成する接合部と、熱圧着しない非接合部を、それぞれ交互に形成し、この非接合部の不織布を介して、内部の空気を外部に排出し、かつ外部からの異物等の侵入を、不織布で阻止する収納袋である。
【０００５】
さらに、文献（３）として、特開平１１−２０８３６号の「食料品用包装袋」があり、この発明は、十分な脱気性を有しつつ、水や虫等の混入を有効に防止し、また、内包物の袋詰め作業効率が悪化しない、安価な食料品用包装袋の提供を意図する。その構造は、周縁シール部の少なくとも１辺の内側近傍に、その周辺に沿って、熱溶着可能な帯状の通気性薄膜を設け、そして、この通気性薄膜の表裏面が、表面及び裏面フイルム間に介装し、通気性薄膜の一方側端部と表面フイルムとを熱溶着し、他方側端部と裏面フイルムとを熱溶着し、この通気性薄膜によって閉鎖部（閉塞部）を構成し、その通気性薄膜の一部を、間隔をおいて未シール部とし、この未シール部を通気部とした食料品用包装袋である。尚、この文献（３）の、図４において、表面・裏面フイルム用ロール巻きを、個別に配置し、この表面・裏面フイルムを重畳する過程で、その長手方向の端縁に、通気性薄膜を一枚挿入し、この通気性薄膜の両端を、表面・裏面フイルムに熱溶着する袋の製造装置が開示されている。
【０００６】
また文献（４）として、実開昭５３−１２８７９５号の「通気性包装袋」がある。この考案は、これにより、包装袋（袋とする）内に収容した注射筒、注射針等の使い捨て医療器具を殺菌するために、この袋内へのガスの置換効率を図ることを意図する。その構造は、二枚の不通気性包材シートの端縁に、フィルタテープを二つ折りに熱圧着する内容であり、この熱圧着を、フィルタテープの上下で異なる位置に形成することを特徴とし、このフィルタテープの全体に、通気部面を形成した通気性包装袋である。尚、この文献（４）において、第５図に一方の不通気性包材シートの端縁を、他方の不通気性包材シートの端縁より突出した構造が開示されている。この突出した一方の不通気性包材シートの端縁を摘み易くし、袋の開放を容易にする。
【０００７】
【特許文献１】特開２００２−５３１４３
【特許文献２】特開２００２−３０８２９２
【特許文献３】特開平１１−２０８３６号
【特許文献４】実開昭５３−１２８７９５号
【発明の開示】
【発明が解決しようとする課題】
【０００８】
文献（１）は、２枚の積層フイルムは、熱接着性樹脂層面を重ね合わせた構造とするとともに、その熱接着部と非熱接着部とからなる断続熱接着部を形成し、この断続熱接着部に、１枚、２枚の熱接着性シートを、２つ折りして設けるとともに、この熱接着性シートに表面に連通する隙間、及び溝を設けた構造を介して、通気性袋内の空気を容易に脱気できる通気性袋である。しかし、この熱接着性シートと、積層フイルムの端部が、同じ垂直面であり、積層フイルムの端部からの水滴が、通気性の熱接着性シートの隙間、及び溝から、袋内に毛細管作用で、侵入する虞があり、内容物を湿潤すること、又は最悪では、カビの発生と、また腐る原因となること、等の改良点を抱えている。
【０００９】
そして、前述した文献（２）、文献（３）の構造は、前述の文献（１）と同じ構造を採用することから、この両発明においても、同様な問題と、改良点を抱えている。尚、文献（３）は、表面・裏面フイルムを重畳する過程で、その長手方向の端縁に、通気性薄膜を一枚挿入し、この通気性薄膜の両端を、表面・裏面フイルムに熱溶着する袋の製造装置が開示されている。しかし、この製造装置は、表面・裏面フイルムの熱溶着を個別に行う構造であり、構造及び装置が複雑となり、また、結果的に、装置の大型化を招来する問題点を抱えている。
【００１０】
また文献（４）は、一方の不通気性包材シートの端縁を、他方の不通気性包材シートの端縁より突出した構造が開示されている。しかし、この考案は、熱圧着を、フィルタテープの上下で異なる位置に形成することを特徴とすることから、袋の内圧に対して、熱圧着箇所に異なる圧力が掛かり、破袋の要因となることが考えられ。従って、本発明が意図する米袋の構造には採用できないと考えられる。殊に、何重にも積層する通気性袋（米袋）には、実用に供しないものと考えられる。因みに、この考案は、ガス殺菌、蒸気殺菌の可能な通気性包装袋に関するものである（明細書の第１頁の下段参照）。
【課題を解決するための手段】
【００１１】
請求項１・２の発明は、通気部の開放側の二つ折り両外面と、各袋体素材の開放側の内面との接着面を、同じ位置及び／又は長さを確保しながら、かつ間欠的に、それぞれ圧着し、圧着部を形成する構成であるので、袋の内圧に対して、圧着部に分散して圧力が掛かり、破袋の要因を無くし得ることから、本発明が意図する米袋の構造には、最適である。又は何重にも積層する通気性袋（米袋）には、最適な構造となり得る。そして、また、この請求項１・２の発明は、従来の袋の製造装置（袋製造装置）を有効に利用することで、本発明の通気性を備えた袋を製造可能とすること、又は設備投資が少なく、かつ低コストで、通気性を備えた袋を製造すること等を意図する。さらに、請求項１・２の発明は、最適な袋の製造装置及び／又はガイド片を介して、各袋体素材の開放側の内面に、通気部の開放側の二つ折り両外面の接着面を、同じ位置及び／又は長さを確保しながら、かつ間欠的に、それぞれ圧着し、圧着部を形成し、品質の一定性と、破袋の防止及び／又は耐久性の向上とを図ること、装置の小型化を図ること等を意図する。
【００１２】
請求項１は、垂設状に捲装設置した延展フイルム素材を、ガイド片を介して、搬送する過程で、カッタにより、その長手方向において半截して、袋用のフイルムを生成するか、又は垂設状に捲装設置した袋用のフイルムを、ガイド片を介して、床面に対して水平状態に配置すると同時に、二重に重ね合わせて連続状態の袋体素材を形成し、この袋体素材の長手方向の両端部に、垂設状に設置した延展不織布素材を、ガイド片を介して、搬送する過程で、その長手方向において二つ折りにし、通気性を備えた袋の通気部を形成し、かつこの二つ折りにした通気部の開放側を、前記袋体素材の長手方向の開放側に位置するようにした袋の製造装置を介して、製造された通気性を備えた袋において、
前記通気性を備えた袋は、前記通気部の開放側を、前記袋体素材の開放側に向けるように設けるとともに、通気部の開放側を、袋体素材の開放側の内側に位置する構成とし、この袋体素材の開放側に、突出鰭片を形成し、また前記通気部の開放側の二つ折り両外面と、前記各袋体素材の開放側の内面との接着面を、同じ位置及び／又は長さを確保しながら、かつ間欠的に、それぞれ圧着し、圧着部を形成する構成とした通気性を備えた袋である。
【００１３】
請求項２は、垂設状に捲装設置した延展フイルム素材を、ガイド片を介して、搬送する過程で、カッタにより、その長手方向において半截して、袋用のフイルムを生成するか、又は垂設状に捲装設置した袋用のフイルムを、ガイド片を介して、床面に対して水平状態に配置すると同時に、二重に重ね合わせて連続状態の袋体素材を形成し、この袋体素材の長手方向の両端部に、垂設状に設置した延展不織布素材を、ガイド片を介して、搬送する過程で、その長手方向において二つ折りにし、通気性を備えた袋の通気部を形成し、かつこの二つ折りにした通気部の開放側を、前記袋体素材の長手方向の開放側に位置するようにした袋の製造装置を介して、製造された通気性を備えた袋において、
前記通気性を備えた袋は、前記通気部の開放側を、前記袋体素材の非開放側に向けるように設けるとともに、通気部の開放側を、袋体素材の開放側の内側に位置する構成とし、この袋体素材の開放側に、突出鰭片を形成し、また前記通気部の開放側の二つ折り両外面と、前記各袋体素材の開放側の内面との接着面を、同じ位置及び／又は長さを確保しながら、かつ間欠的に、それぞれ圧着し、圧着部を形成する構成とした通気性を備えた袋である。
【００１４】
請求項３・４の発明は、請求項１又は請求項２の目的を達成すること、この目的を達成するに最適で、かつ水滴及び／又は埃の侵入防止に役立つ構成とした通気性を備えた袋を提供することを意図する。
【００１５】
請求項３は、請求項１又は請求項２に記載の通気性を備えた袋であって、
この袋体素材の開放側に、形成した突出鰭片は、この袋体素材の表面、又は、その裏面のいずれか一方側に設ける構成とした通気性を備えた袋である。
【００１６】
請求項４は、請求項１又は請求項２に記載の通気性を備えた袋であって、
この袋体素材の開放側に、形成した突出鰭片は、この袋体素材の表裏面の両面側に設ける構成とした通気性を備えた袋である。
【００１７】
請求項５の発明は、請求項１又は請求項２の目的を達成すること、この目的を達成するに最適で、かつ店頭での積層に最適な通気性を備えた袋を提供することを意図する。
【００１８】
請求項５は、請求項１又は請求項２に記載の通気性を備えた袋であって、
この通気性を備えた袋は、米袋であり、この米袋内の空気を排出可能とし、当該米袋を複数個積層した際に、積み崩れを防止する構成とした通気性を備えた袋である。
【００１９】
請求項６の発明は、請求項５の目的を達成すること、この目的を達成するに最適で、かつ店頭での積層に最適な、水滴及び／又は埃の侵入防止に役立つ構成とした通気性を備えた袋を提供することを意図する。
【００２０】
請求項６は、請求項５に記載の通気性を備えた袋であって、
この通気性を備えた袋を、店頭に陳列した際に、前記袋体素材の開放側に、形成した突出鰭片が、水滴及び／又は埃の侵入防止に役立つ構成とした通気性を備えた袋である。
【発明の効果】
【００２１】
請求項１の発明は、垂設状に捲装設置した延展フイルム素材を、ガイド片を介して、搬送する過程で、カッタにより、長手方向において半截して、袋用のフイルムを生成するか、又は垂設状に捲装設置した袋用のフイルムを、ガイド片を介して、床面に対して水平状態に配置すると同時に、二重に重ね合わせて連続状態の袋体素材を形成し、袋体素材の長手方向の両端部に、垂設状に設置した延展不織布素材を、ガイド片を介して、搬送する過程で、長手方向において二つ折りにし、通気性を備えた袋の通気部を形成し、かつ二つ折りにした通気部の開放側を、袋体素材の長手方向の開放側に位置するようにした袋の製造装置を介して、製造された通気性を備えた袋において、
通気性を備えた袋は、通気部の開放側を、袋体素材の開放側に向けるように設けるとともに、通気部の開放側を、袋体素材の開放側の内側に位置する構成とし、袋体素材の開放側に、突出鰭片を形成し、また通気部の開放側の二つ折り両外面と、各袋体素材の開放側の内面との接着面を、同じ位置及び／又は長さを確保しながら、かつ間欠的に、それぞれ圧着し、圧着部を形成する構成とした通気性を備えた袋である。
【００２２】
請求項２の発明は、垂設状に捲装設置した延展フイルム素材を、ガイド片を介して、搬送する過程で、カッタにより、その長手方向において半截して、袋用のフイルムを生成するか、又は垂設状に捲装設置した袋用のフイルムを、ガイド片を介して、床面に対して水平状態に配置すると同時に、二重に重ね合わせて連続状態の袋体素材を形成し、この袋体素材の長手方向の両端部に、垂設状に設置した延展不織布素材を、ガイド片を介して、搬送する過程で、その長手方向において二つ折りにし、通気性を備えた袋の通気部を形成し、かつこの二つ折りにした通気部の開放側を、前記袋体素材の長手方向の開放側に位置するようにした袋の製造装置を介して、製造された通気性を備えた袋において、
前記通気性を備えた袋は、前記通気部の開放側を、前記袋体素材の非開放側に向けるように設けるとともに、通気部の開放側を、袋体素材の開放側の内側に位置する構成とし、この袋体素材の開放側に、突出鰭片を形成し、また前記通気部の開放側の二つ折り両外面と、前記各袋体素材の開放側の内面との接着面を、同じ位置及び／又は長さを確保しながら、かつ間欠的に、それぞれ圧着し、圧着部を形成する構成とした通気性を備えた袋である。
【００２３】
従って、請求項１・２は、通気部の開放側の二つ折り両外面と、各袋体素材の開放側の内面との接着面を、同じ位置及び／又は長さを確保しながら、かつ間欠的に、それぞれ圧着し、圧着部を形成する構成であるので、袋の内圧に対して、圧着部に分散して圧力が掛かり、破袋の要因を無くし得ることから、本発明が意図する米袋の構造には、最適であること、又は何重にも積層する通気性袋（米袋）には、最適な構造となり得ること等の特徴を有する。そして、また、この請求項１・２は、従来の袋の製造装置（袋製造装置）を有効に利用することで、本発明の通気性を備えた袋を製造可能となること、又は設備投資が少なく、かつ低コストで、通気性を備えた袋を製造できる実益がある。さらに、請求項１・２は、最適な袋の製造装置及び／又はガイド片を介して、各袋体素材の開放側の内面に、通気部の開放側の二つ折り両外面の接着面を、同じ位置及び／又は長さを確保しながら、かつ間欠的に、それぞれ圧着し、圧着部を形成し、品質の一定性と、破袋の防止及び／又は耐久性の向上とが図れること、また、装置の小型化が図れること特徴がある。
【００２４】
請求項３の発明は、請求項１又は請求項２に記載の通気性を備えた袋であって、
袋体素材の開放側に、形成した突出鰭片は、袋体素材の表面、又は、裏面のいずれか一方側に設ける構成とした通気性を備えた袋である。
【００２５】
請求項４の発明は、請求項１又は請求項２に記載の通気性を備えた袋であって、
袋体素材の開放側に、形成した突出鰭片は、袋体素材の表裏面の両面側に設ける構成とした通気性を備えた袋である。
【００２６】
従って、請求項３・４は、請求項１又は請求項２の目的を達成できること、この目的を達成するに最適で、かつ水滴及び／又は埃の侵入防止に役立つ構成とした通気性を備えた袋を提供できること等の特徴を有する。
【００２７】
請求項５の発明は、請求項１又は請求項２に記載の通気性を備えた袋であって、
通気性を備えた袋は、米袋であり、米袋内の空気を排出可能とし、米袋を複数個積層した際に、積み崩れを防止する構成とした通気性を備えた袋である。
【００２８】
従って、請求項５は、請求項１又は請求項２の目的を達成できること、この目的を達成するに最適で、かつ店頭での積層に最適な通気性を備えた袋を提供できること等の特徴を有する。
【００２９】
請求項６の発明は、請求項５に記載の通気性を備えた袋であって、
通気性を備えた袋を、店頭に陳列した際に、袋体素材の開放側に、形成した突出鰭片が、水滴及び／又は埃の侵入防止に役立つ構成とした通気性を備えた袋である。
【００３０】
従って、請求項６は、請求項５の目的を達成できること、この目的を達成するに最適で、かつ店頭での積層に最適な、水滴及び／又は埃の侵入防止に役立つ構成とした通気性を備えた袋を提供できること等の特徴を有する。
【発明を実施するための最良の形態】
【００３１】
本発明の一例を説明する。
【００３２】
図面の説明をする。先ず、製造装置を示すと、図１は、本発明の通気性を備えた袋を製造するに最適な製造装置の概念図、図２は、図１の要部で、表面フイルム素材と裏面フイルム素材をガイド片を用いて供給する過程を示した拡大斜視図、図３−１、図３−２は、図１の要部の拡大斜視図である。図４は、袋体素材を供給する過程で、カッタを使用しない前段の製造装置を示した概念図である。
【００３３】
次に、通気性を備えた袋を示すと、図５は、通気部の開放側を、袋体素材の開放側に向けるように設けるとともに、袋体素材の開放側に、形成した突出鰭片を、表面に設けた一例を示した（一面の一例である。以下、省略する。）一部省略の袋の平面図、図６は、図５の要部の正面図、図７−１は、裏面フイルムと通気部の端縁が面一となる例の要部の拡大断面図、図７−２は、図６の要部の拡大断面図、図８は、図５の積層状態の縮尺正面図、そして、図９は、通気部の開放側を、袋体素材の開放側に向けるように設けるとともに、袋体素材の開放側に、形成した突出鰭片を、表裏面（両面側）に設けた他の一例を示した一部省略の袋の平面図、図１０は、図９の要部の正面図、図１１は、図１０の要部の拡大断面図、図１２は、図９の積層状態の縮尺正面図、図１３は、通気部の開放側を、袋体素材の非開放側に向けるように設けるとともに、袋体素材の開放側に、形成した突出鰭片を、表面に設けた通気性を備えた袋の一例を示した一部省略の袋の平面図、図１４は、図１３の要部の正面図、図１５は、図１４の要部の拡大断面図、図１６は、図１５の積層状態の縮尺正面図、図１７は、通気部の開放側を、袋体素材の非開放側に向けるように設けるとともに、袋体素材の開放側に、形成した突出鰭片を、表裏面に設けた通気性を備えた袋の一例を示した一部省略の袋の平面図、図１８は、図１７の要部の正面図、図１９は、図１８の要部の拡大断面図、図２０は、図１９の積層状態の縮尺正面図である。
【００３４】
先ず、図１〜図４において、通気性を備えた袋を製造するに最適な製造装置の各例を説明する。図１〜図２は、カッタ４を介して延展フイルム素材１を半截する構成であって、１は垂設状に捲装設置した延展フイルム素材で、回転軸２に設けられており、張力調整装置３を介して、均等に延展かつ張力調整されながらカッタ４に到る。このカッタ４を介して、延展フイルム素材１は、長手方向において半截（略半分にカット）されて、袋用のフイルム１００（表面フイルム１００ａと、裏面フイルム１００ｂ）が成形される。そして、このフイルム１００は、方向転換用のガイド片５（三角形状の二面による折り返し操作）を介して、床面Ｒに対して水平状態に配置すると同時に、二重に重ね合わせた連続状態の袋体素材１０１を形成し、製造装置Мに設けたガイドローラ間（図示せず）に順次、送込む作業を行う、所謂、この袋体素材１０１の送込み作業である。この送込み作業で、袋体素材１０１の長手方向１０１−１の両端には、開放側１０１ａ、１０１ｂが配備される構造である。
【００３５】
次に、図４は、予め表面フイルム１００ａ用の延展フイルム素材１−１と、裏面フイルム１００ｂ用の延展フイルム素材１−１を分離し、それぞれ回転軸２ａ、２ｂに設ける構成であって、張力調整装置３を介して、均等に延展かつ張力調整され、方向転換用のガイド片５に到る。以降の工程は、カッタ４を介して延展フイルム素材１を半截する構成の場合に準ずる。
【００３６】
この延展フイルム素材１から袋体素材１０１の送込み作業に付随して、延展不織布素材６から通気性を備えた袋の通気部６００（通気部６００とする）の送込み作業を図３−１、図３−２に基づいて説明すると、回転軸７に垂設状にして、捲装設置した延展不織布素材６を、張力調整装置７を介して、均等に延展かつ張力調整されながらガイド片１２に送り、このガイド片１２で二つ折りにして（長手方向１０１−１において、倒Ｕ字形に二つ折りして）、通気部６００を形成する。そして、この通気部６００の開放側６００ａ、６００ｂは、前記袋体素材１０１の開放側１０１ａ、１０１ｂに向って、配置される構造である。
【００３７】
ここで、袋体素材１０１の開放側１０１ａ、１０１ｂの両端縁に、突出鰭片１３を形成する例を説明すると、この配置の際に、通気部６００の開放側６００ａ、６００ｂを、二つ折り用のガイド片１２を介して、確実に、所定の位置に配備し、図示の如く、袋体素材１０１の開放側１０１ａ、１０１ｂの内側に、それぞれ位置することで、この袋体素材１０１の開放側１０１ａ、１０１ｂの両端縁に、突出鰭片１３を形成する。即ち、この通気部６００の長手方向１０１−１の外側両縁に、表面フイルム１００ａ及び／又は裏面フイルム１００ｂの一部が、突出形成される構成である。この通気部６００の開放側６００ａ、６００ｂの二つ折り両外面６００ｃ、６００ｄと、各袋体素材１０１の開放側１０１ａ、１０１ｂの内面１０１ｃ、１０１ｄとの接着（熱溶着）面を、同じ位置及び／又は長さを確保しながら、かつ間欠的に、それぞれ圧着し、圧着部１０を形成する構成である。また、前記通気部６００の開放側６００ａ、６００ｂの二つ折り両外面６００ｃ、６００ｄと、各袋体素材１０１の開放側１０１ａ、１０１ｂの内面１０１ｃ、１０１ｄには、同じ位置及び／又は長さを確保しながら、未圧着部１１が同時に形成される。即ち、接着部１０と、未接着部１１が交互に、かつ同じ位置及び／又は長さを確保しながら、設けられる構造である。また、この接着部１０と、未接着部１１には、同じ突出長さの突出鰭片１３が形成される。
【００３８】
次に、袋体素材１０１の開放側１０１ａ、１０１ｂの一端縁に、突出鰭片１３を形成する例を説明すると、この配置の際に、通気部６００の開放側６００ａ、６００ｂを、二つ折り用のガイド片１２を介して、確実に、所定の位置に配備し、図示の如く、袋体素材１０１の開放側１０１ａ、１０１ｂの内側に、それぞれ位置することで、この袋体素材１０１の開放側１０１ａ、１０１ｂの一端縁に、突出鰭片１３を形成する。即ち、この通気部６００の長手方向１０１−１の外側一端縁に、表面フイルム１００ａ又は裏面フイルム１００ｂの一部が、突出形成される構成である。この通気部６００の開放側６００ａ、６００ｂの二つ折り両外面６００ｃ、６００ｄと、各袋体素材１０１の開放側１０１ａ、１０１ｂの内面１０１ｃ、１０１ｄとの接着（熱溶着）面を、同じ位置及び／又は長さを確保しながら、かつ間欠的に、それぞれ圧着し、圧着部１０を形成する構成である。また、前記通気部６００の開放側６００ａ、６００ｂの二つ折り両外面６００ｃ、６００ｄと、各袋体素材１０１の開放側１０１ａ、１０１ｂの内面１０１ｃ、１０１ｄには、同じ位置及び／又は長さを確保しながら、未圧着部１１が同時に形成される。即ち、接着部１０と、未接着部１１が交互に、かつ同じ位置及び／又は長さを確保しながら、設けられる構造である。また、この接着部１０と、未接着部１１には、同じ突出長さの突出鰭片１３が形成される。
【００３９】
この接着は、熱プレスМ１を介して実施される。また、通気袋６００の底面の接着も熱プレス（図示せず）を介して実施される。また、熱プレスМ１等による熱は、強制及び／又は自然冷却とする。また、後述する通気性を備えた袋１５の切断は、従来の方法及び／又は装置を採用する。
【００４０】
ここで、通気性を備えた袋１５の好ましい一例を、図４〜図１２に基づいて説明する。最初の図４は、通気部６００の開放側６００ａ、６００ｂを、袋体素材１０１の開放側１０１ａ、１０１ｂに向けるように設け、袋体素材１０１の開放側１０１ａ、１０１ｂに、形成した突出鰭片１３を、表面フイルム１００ａに設けた一例を示しており、この突出鰭片１３を介して、通気性を備えた袋１５内への水滴及び／又は埃の侵入防止を図る構造であり、特に、店頭に陳列した場合に、その効果が発揮できる。そして、この例では、図６に示した要部の正面図の如く、圧着部１０と、未接着部１１は、同じ長さ及び／又は幅とすること、またこの袋体素材１０１の開放側１０１ａ、１０１ｂに形成した突出鰭片１３の突出長さも同じとすることで、通気性を備えた袋１５内への水滴及び／又は埃の侵入防止の効果を最大とするとともに、破袋防止及び／又は耐久性の向上等を図る。そして、この未接着部１１及び／又は突出鰭片１３を介して、空気の流れ（空気の出入り）を確保する構造である。そして、この通気性を備えた袋１５を、店頭で積層した状態を示した図８の縮尺正面図で理解できるように、当該通気性を備えた袋１５内の空気が、積層された他の通気性を備えた袋１５ａ等の荷重と、未接着部１１及び／又は突出鰭片１３を介して、確実に排気されて荷崩れの虞がなくなる。また、この排気されて荷崩れ回避の状況は、当該通気性を備えた袋１５の搬送過程でも期待できる。尚、この一例では、突出鰭片１３を、表面フイルム１００ａに設けた構造であり、この表面フイルム１００ａを上側に、積層することが必須要件である。しかも、この例では、構造の簡素化、低コスト化、設備の簡略化等に役立つとともに、材料の節約化、環境維持の確保等に有効である。さらに、また、図示しないが、この突出鰭片１３を、裏面フイルム１００ｂに設けた一例も可能である。そして、この例では、裏面フイルム１００ｂに突出鰭片１３を設けるために、この裏面フイルム１００ｂを上側にすることが望ましい、例えば、備蓄する場合、また表示を隠す場合等の特殊な使用において有効である。また、この各例でも、例えば、積層の仕方（通気性を備えた袋１５を、表裏交互に積層する等の仕方）で、積層した通気性を備えた袋１５間の密着性と、同時に積層した通気性を備えた袋１５間からの水滴及び／又は埃の侵入防止の効果を期待できる。
【００４１】
尚、通気性を備えた袋１５を構成する袋体素材１０１のうち、表面フイルム１００ａ、裏面フイルム１００ｂと通気部６００の開放側６００ａ、６００ｂの端部との好ましい各例を示した図７−１では、裏面フイルム１００ｂと通気部６００の端縁が面一となる例を示しており、この面一の構造では、接着の安定性と作業の容易化が図れる。また、図７−２では、通気部６００の開放側６００ａ、６００ｂを、袋体素材１０１の開放側１０１ａ、１０１ｂに向けるように設けた具体例を図示しており、このように少し奥行きをずらすことで安定性、耐久性があり、有効である。
【００４２】
続いて、通気性を備えた袋１５の好ましい他の一例を、説明すると、図９は、通気部６００の開放側６００ａ、６００ｂを、袋体素材１０１の開放側１０１ａ、１０１ｂに向けるように設け、袋体素材１０１の開放側１０１ａ、１０１ｂに、形成した突出鰭片１３を、表裏面フイルム１００ａ、１００ｂに設けた一例を示しており、この対の突出鰭片１３を介して、通気性を備えた袋１５内への水滴及び／又は包括的な埃の侵入防止を図る構造であり、特に、店頭に陳列した場合に、その効果が発揮できる。そして、この例では、図１０に示した要部の正面図の如く、圧着部１０と、未接着部１１は、同じ長さ及び／又は幅とすること、またこの袋体素材１０１の開放側１０１ａ、１０１ｂに形成した突出鰭片１３の突出長さも同じとすることで、通気性を備えた袋１５内への水滴及び／又は包括的な埃の侵入防止の効果を最大とするとともに、破袋防止及び／又は耐久性の向上等を図る。そして、この未接着部１１及び／又は各突出鰭片１３を介して、空気の流れ（空気の出入り）を確保する構造である。この構造の具体例が、図１１に示した要部の拡大断面図で明瞭に表示されている。そして、この通気性を備えた袋１５を、店頭で積層した状態を示した図１２の縮尺正面図で理解できるように、当該通気性を備えた袋１５内の空気が、積層された他の通気性を備えた袋１５ａ等の荷重と、未接着部１１及び／又は突出鰭片１３を介して、確実に排気されて荷崩れの虞がなくなる。また、この排気されて荷崩れ回避の状況は、当該通気性を備えた袋１５の搬送過程でも期待できる。尚、この一例では、突出鰭片１３を、表裏面フイルム１００ａ、１００ｂに設けた構造であり、この表裏面フイルム１００ａ、１００ｂのいずれかを上側に、積層することができ重宝する。また、下側からの水滴及び／又は埃の侵入防止の効果を可能とすることと、この各突出鰭片１３が接触することで、前記水滴及び／又は包括的な埃の侵入防止の効果を、最大限に発揮できること等の特徴を有する。また、この突出鰭片１３は、積層した通気性を備えた袋１５間の密着性と、同時に積層した通気性を備えた袋１５間からの水滴及び／又は包括的な埃の侵入防止の効果を期待できる。尚、この例では、表裏面フイルム１００ａ、１００ｂに、それぞれ突出鰭片１３が設けられる構造であり、積層の場合とか、備蓄の場合、また表示を隠す場合等の特殊な使用において、簡易に取扱えること、間違いがなくなること等の利点がある。
【００４３】
また、通気性を備えた袋１５の好ましい更に他の一例を、図１３〜図２０に基づいて説明する。まず、通気性を備えた袋１５を構成する袋体素材１０１のうち、表面フイルム１００ａ、裏面フイルム１００ｂと通気部６００の開放側６００ａ、６００ｂの端部との好ましい各例を示した図１３〜図１６は、通気部６００の開放側６００ａ、６００ｂを、袋体素材１０１の非開放側１０１ｅ、１０１ｆに向けるように設け、袋体素材１０１の開放側１０１ａ、１０１ｂに、形成した突出鰭片１３を、表面フイルム１００ａに設けた一例を示しており、通気部６００の開放側６００ａ、６００ｂを袋体素材１０１の非開放側１０１ｅ、１０１ｆに向ける構成以外は、原則として図４〜図８の実施例に準ずる。尚、この一例では、通気性を備えた袋１５の内圧に対して有効である。
【００４４】
次に、通気性を備えた袋１５を構成する袋体素材１０１のうち、表面フイルム１００ａ、裏面フイルム１００ｂと通気部６００の開放側６００ａ、６００ｂの端部との好ましい各例を示した図１７〜図２０は、通気部６００の開放側６００ａ、６００ｂを、袋体素材１０１の非開放側１０１ｅ、１０１ｆに向けるように設け、袋体素材１０１の開放側１０１ａ、１０１ｂに、形成した突出鰭片１３を、表裏面フイルム１００ａ、１００ｂに設けた一例を示しており、通気部６００の開放側６００ａ、６００ｂを袋体素材１０１の非開放側１０１ｅ、１０１ｆに向ける構成以外は、原則として図９〜図１２の実施例に準ずる。尚、この一例においても、通気性を備えた袋１５の内圧に対して有効である。
【００４５】
以上は、米袋に関して、詳細に説明したが、通気性を希望する他の袋、例えば、野菜類、果物類、根菜類等にも採用可能であり、極めて有益な発明である。
【図面の簡単な説明】
【００４６】
【図１】図１は、本発明の通気性を備えた袋を製造するに最適な製造装置の概念図
【図２】図２は、図１の要部で、表面フイルム素材と裏面フイルム素材をガイド片を用いて供給する過程を示した拡大斜視図
【図３−１】図３−１は、図１の延展不織布素材をガイド片で二つ折りにした状態の要部拡大斜視図
【図３−２】図３−２は、図１の延展不織布素材をガイド片で二つ折りにした状態の要部拡大斜視図
【図４】図４は、袋体素材を供給する過程で、カッタを使用しない前段の製造装置を示した概念図
【図５】図５は、通気部の開放側を、袋体素材の開放側に向けるように設けるとともに、袋体素材の開放側に、形成した突出鰭片を、表面に設けた通気性を備えた袋の一例を示した（一面の一例である。以下、省略する。）一部省略の袋の平面図
【図６】図６は、図５の要部の正面図
【図７−１】図７−１は、裏面フイルムと通気部の端縁が面一となる例の要部の拡大断面図
【図７−２】図７−２は、図６の要部の拡大断面図
【図８】図８は、図５の積層状態の縮尺正面図
【図９】図９は、通気部の開放側を、袋体素材の開放側に向けるように設けるとともに、袋体素材の開放側に、形成した突出鰭片を、表裏面（両面側）に設けた通気性を備えた袋の一例を示した一部省略の袋の平面図
【図１０】図１０は、図９の要部の正面図
【図１１】図１１は、図１０の要部の拡大断面図
【図１２】図１２は、図９の積層状態の縮尺正面図
【図１３】図１３は、通気部の開放側を、袋体素材の非開放側に向けるように設けるとともに、袋体素材の開放側に、形成した突出鰭片を、表面に設けた通気性を備えた袋の一例を示した一部省略の袋の平面図
【図１４】図１４は、図１３の要部の正面図
【図１５】図１５は、図１４の要部の拡大断面図
【図１６】図１６は、図１５の積層状態の縮尺正面図
【図１７】図１７は、通気部の開放側を、袋体素材の非開放側に向けるように設けるとともに、袋体素材の開放側に、形成した突出鰭片を、表裏面に設けた通気性を備えた袋の一例を示した一部省略の袋の平面図
【図１８】図１８は、図１７の要部の正面図
【図１９】図１９は、図１８の要部の拡大断面図
【図２０】図２０は、図１９の積層状態の縮尺正面図
【符号の説明】
【００４７】
１              延展フイルム素材
１−１          延展フイルム素材
１００          フイルム
１００ａ        表面フイルム
１００ｂ        裏面フイルム
１０１          袋体素材
１０１−１      長手方向
１０１ａ        開放側
１０１ｂ        開放側
１０１ｃ        内面
１０１ｄ        内面
１０１ｅ        開放側
１０１ｆ        開放側
２              回転軸
２ａ            回転軸
２ｂ            回転軸
３              張力調整装置
４              カッタ
５              ガイド片
６              延展不織布素材
６００          通気性を備えた袋の通気部（通気部）
６００ａ        開放側
６００ｂ        開放側
６００ｃ        外面
６００ｄ        外面
７              回転軸
８              張力調整装置
１０            圧着部
１１            未圧着部
１２            ガイド片
１３            突出鰭片
１５            通気性を備えた袋
１５ａ          他の通気性を備えた袋
Ｒ              床面
М              製造装置
М１            熱プレス
【図１】
2009173291.tif 000003
【図２】
2009173291.tif 000004
【図３−１】
2009173291.tif 000005
【図３−２】
2009173291.tif 000006
【図４】
2009173291.tif 000007
【図５】
2009173291.tif 000008
【図６】
2009173291.tif 000009
【図７−１】
2009173291.tif 000010
【図７−２】
2009173291.tif 000011
【図８】
2009173291.tif 000012
【図９】
2009173291.tif 000013
【図１０】
2009173291.tif 000014
【図１１】
2009173291.tif 000015
【図１２】
2009173291.tif 000016
【図１３】
2009173291.tif 000017
【図１４】
2009173291.tif 000018
【図１５】
2009173291.tif 000019
【図１６】
2009173291.tif 000020
【図１７】
2009173291.tif 000021
【図１８】
2009173291.tif 000022
【図１９】
2009173291.tif 000023
【図２０】
2009173291.tif 000024